(57)【要約】【課題】可変絵柄と背景絵柄との間に絵柄のずれが生ずるのを防止でき、且つ表紙及び台紙にそれぞれ描かれた背景絵柄同士の意匠的一体感を高めることができる絵柄可変表示冊子及びその製造方法を提供する。【解決手段】本発明に係る絵柄可変表示冊子１００は、絵柄シート、フィルム、窓付シートをこの順に配置し、フィルムと絵柄シートを相対変位させて絵柄を可変表示する絵柄可変表示体１、２を、交互に重ねた絵柄可変表示冊子であって、絵柄可変表示体１、２は、窓付シートの端部に折り曲げ部で連結し凸部６２ａ、６２ｂを備えるカバーシートと、凸部６２ａ、６２ｂに折り曲げ部で連結し窓付シートと絵柄シートとの間をフィルムに向けて延在しフィルムに固定したフィルム作動ガイド片とを備え、絵柄可変表示体１の凸部６２ａは、絵柄可変表示体２の凸部６２ｂとは、絵柄可変表示体１、２の重なり方向から見て、互いにずらして配置されている。【選択図】図１
2014226907.tif 000002
【特許請求の範囲】
【請求項１】
表面に絵柄が表示された絵柄シートの上に前記絵柄を透視可能な透視部と前記絵柄を隠蔽可能な隠蔽部とを交互に配列したフィルムが配置され、前記フィルムの上に前記絵柄を視認可能な窓部を備えた窓付シートが配置され、予め設定した相対変位方向に前記フィルムと前記絵柄シートとを相対的に変位させることで前記窓部から視認される前記絵柄を可変表示する絵柄可変表示体を、複数重ねて形成した絵柄可変表示冊子において、
前記絵柄可変表示体は、
前記窓付シートの前記相対変位方向に沿った方向に位置する端部に対し、前記相対変位方向と交差する方向に延在する第１の折り曲げ部で折り曲げ可能な状態で連結し、前記窓付シートと前記絵柄シートとの間を前記フィルムに向けて延在する２以上の凸部を備えるカバーシートと、
前記凸部に対し前記相対変位方向と交差する方向に延在する第２の折り曲げ部で折り曲げ可能な状態で連結し、前記窓付シートと前記絵柄シートとの間を前記フィルムに向けて延在し、延在方向端部を前記フィルムに固定したフィルム作動ガイド片と、をさらに備え、
前記第２の折り曲げ部は、前記カバーシートを開いた状態で前記第１の折り曲げ部に対し前記フィルム側にずらして配置されており、
前記各絵柄可変表示体の前記凸部は、隣り合う他の前記絵柄可変表示体の前記凸部とは、前記絵柄可変表示体の重なり方向から見て、互いにずらして配置されていることを特徴とする絵柄可変表示冊子。
【請求項２】
前記カバーシートは、内面シートと外面シートとを積層して形成したシートであり、
前記内面シートは、前記カバーシートを閉じた状態で前記窓付シート側に配置され、且つ前記窓付シートの前記相対変位方向に沿った方向に位置する端部に対し前記相対変位方向と交差する方向に延在する前記第１の折り曲げ部で折り曲げ可能な状態で連結しており、
前記フィルム作動ガイド片は、前記外面シートに連結していることを特徴とする請求項１に記載の絵柄可変表示冊子。
【請求項３】
前記絵柄シートの裏面側に配置される裏面シートをさらに備え、
前記フィルム作動ガイド片と、前記外面シートと、前記内面シートと、前記窓付シートと、前記裏面シート、前記絵柄シートとは、前記フィルム作動ガイド片、前記外面シート、前記内面シート、前記窓付シート、前記裏面シート、前記絵柄シートの順にそれぞれ折り曲げ線を介して一列に連結したブランクシートから形成されていることを特徴とする請求項２に記載の絵柄可変表示冊子。
【請求項４】
前記フィルムは、前記フィルムの一部に切り込みを入れて形成された、少なくとも一対の係止爪を備え、
前記切り込みの形状は、前記透視部と前記隠蔽部との配列方向に垂直な方向に対向して突出した形状をしており、
前記係止爪同士は、前記絵柄シートの前記相対変位方向に垂直な方向の長さに相当する間隔をおいて配置されており、
前記絵柄シートは、前記係止爪で前記相対変位方向に変位可能に係止されていることを特徴とする請求項１から請求項３のいずれか１項に記載の絵柄可変表示冊子。
【請求項５】
請求項３に記載の絵柄可変表示冊子を製造する方法において、
前記絵柄可変表示体を、
前記ブランクシートの一方の面を表面とし、他方の面を裏面とした場合に、前記絵柄を前記絵柄シートの表面に表示し、
前記絵柄が表示された前記絵柄シートを、前記絵柄シートと前記裏面シートとの間に延在する折り曲げ線の位置で折り返して前記裏面シートの裏面上に配置し、
前記フィルムを前記絵柄が表示された前記絵柄シート上に配置し、
前記窓付シートを、前記窓付シートと前記裏面シートとの間に延在する折り曲げ線の位置で折り返して、前記フィルムを介して前記絵柄シート上に配置し、
前記外面シートを、前記外面シートと前記内面シートとの間に延在する折り曲げ線の位置で折り返して前記内面シートと重ねて、前記外面シートと前記内面シートとで前記カバーシートを形成し、
前記フィルム作動ガイド片を、前記フィルム作動ガイド片と前記外面シートとの間に延在する折り曲げ線の位置で折り返し前記窓付シートの裏面側に配置した後に、前記フィルム作動ガイド片の表面を前記フィルムに接合して組み立てることを特徴とする絵柄可変表示冊子の製造方法。
【発明の詳細な説明】
【技術分野】
【０００１】
本発明は、絵柄可変表示冊子及び絵柄可変表示冊子の製造方法に関する。
【背景技術】
【０００２】
動物などの絵が複数種の動きを呈してあたかも動く映像を思わせる、いわゆる動画シート（以下、「絵柄可変表示体」ともいう。）には、例えば特許文献１及び特許文献２に記載されたものがある。以下、特許文献１及び特許文献２に記載の絵柄可変表示体の構造及び可変する絵柄の表示原理について、図１２及び図１３を参照しつつ簡単に説明する。
特許文献１には、シート９０と、シート９０上に配置された絵シート９１と、絵シート９１上に配置されたフィルム９２と、フィルム９２上に配置されたシート９３と、を少なくとも備えた絵柄可変表示体が記載されている。図１２は、この絵柄可変表示体の構造を示す斜視図である。
【０００３】
この絵柄可変表示体を構成する絵シート９１には、複数種類の絵柄のそれぞれに由来する分割絵（図示せず）が一定の順序で配列して描かれている。また、フィルム９２には、その分割絵を透視可能な透明スリット９２ａと分割絵を隠蔽可能な不透明部９２ｂとが分割絵の配列方向に交互に配置されている。また、シート９３には、分割絵を表示するための表示窓９３ａが設けられている。
【０００４】
この絵柄可変表示体において、絵シート９１とフィルム９２とはスライド（摺動）自在に重なっている。このため、絵シート９１と一体的に設けられた操作部９４を図面に示した矢印方向に動かすことによって、絵シート９１を摺動させることができる。具体的には、操作部９４を位置Ｂから位置Ａに向かって動かすと、絵シート９１は図面に示したＡ′方向に摺動する。これとは逆に、操作部９４を位置Ａから位置Ｂに向かって動かすと、絵シート９１は図面に示したＡ′方向とは逆方向に摺動する。
このようにして、絵シート９１を摺動させると、フィルム９２の透明スリット９２ａに現れる絵柄が連続的に変化して見え、あたかも絵が動いているかのような現象を呈する。
【０００５】
特許文献２には上述の絵柄可変表示体を応用した絵柄可変表示体が記載されている。図１３は、この絵柄可変表示体の構造を示す斜視図である。特許文献２に記載の絵柄可変表示体は、特許文献１に記載の絵柄可変表示体に、開閉自在なカバーシート（表紙）９５が備わったものである。
特許文献２に記載の絵柄可変表示体は、特許文献１に記載の絵柄可変表示体と同様の原理を用いて可変する絵柄を表示するものである。つまり、カバーシート９５を開くと絵シート９１がカバーシート９５側に引っ張られて摺動し、絵シート９１に表示された分割絵がフィルム９２の透明スリット９２ａに順次現れるというものである。
【先行技術文献】
【特許文献】
【０００６】
【特許文献１】特開２０１０−２２８３４０号公報
【特許文献２】特開２０１０−７２１６７号公報
【発明の概要】
【発明が解決しようとする課題】
【０００７】
ところで、従来技術に係る絵柄可変表示体には、表示窓９３ａを備えたシート９３にフィルム９２を固定しておき、絵シート９１を摺動させることで、絵柄を可変表示するタイプの絵柄可変表示体がある。このタイプの絵柄可変表示体では、絵柄の表示時に絵シート９１が摺動するので、絵シート９１に描かれた絵柄（以下、「可変絵柄」ともいう。）とシート９３の表面に描かれた絵柄（以下、「背景絵柄」ともいう。）との間に絵柄のずれが生じる。この場合には、可変絵柄と背景絵柄との意匠的一体感が阻害され、全体としての興趣感が低減してしまう（つまり、見栄えが悪くなってしまう）ことがあった。
【０００８】
また、従来技術に係る絵柄可変表示体には、図１３に示すように、カバーシート９５とシート９３とが分離したタイプの絵柄可変表示体もある。このタイプの絵柄可変表示体では、シート９３とカバーシート９５と間に隙間９６が生じてしまう。この隙間９６が存在すると、カバーシート９５に描かれた背景絵柄とシート９３に描かれた背景絵柄との意匠的一体感が阻害され、全体としての興趣感が低減してしまうこともあった。
【０００９】
また、上記絵柄可変表示体を用いて構成された、従来技術に係る絵柄可変表示冊子にも同様の課題があった。
本発明は、上記事情に鑑み、可変絵柄の表示時に可変絵柄と背景絵柄との間に絵柄のずれが生ずるのを防止することができ、且つ、カバーシート（表紙）に描かれた背景絵柄と窓付シート（台紙）に描かれた背景絵柄との意匠的一体感を高めることができる絵柄可変表示冊子及び絵柄可変表示冊子の製造方法を提供することを目的とする。
【課題を解決するための手段】
【００１０】
上記課題を解決するための本発明の一態様は、表面に絵柄が表示された絵柄シートの上に前記絵柄を透視可能な透視部と前記絵柄を隠蔽可能な隠蔽部とを交互に配列したフィルムが配置され、前記フィルムの上に前記絵柄を視認可能な窓部を備えた窓付シートが配置され、予め設定した相対変位方向に前記フィルムと前記絵柄シートとを相対的に変位させることで前記窓部から視認される前記絵柄を可変表示する絵柄可変表示体を、複数重ねて形成した絵柄可変表示冊子において、前記絵柄可変表示体は、前記窓付シートの前記相対変位方向に沿った方向に位置する端部に対し、前記相対変位方向と交差する方向に延在する第１の折り曲げ部で折り曲げ可能な状態で連結し、前記窓付シートと前記絵柄シートとの間を前記フィルムに向けて延在する２以上の凸部を備えるカバーシートと、前記凸部に対し前記相対変位方向と交差する方向に延在する第２の折り曲げ部で折り曲げ可能な状態で連結し、前記窓付シートと前記絵柄シートとの間を前記フィルムに向けて延在し、延在方向端部を前記フィルムに固定したフィルム作動ガイド片と、をさらに備え、前記第２の折り曲げ部は、前記カバーシートを開いた状態で前記第１の折り曲げ部に対し前記フィルム側にずらして配置されており、前記各絵柄可変表示体の前記凸部は、隣り合う他の前記絵柄可変表示体の前記凸部とは、前記絵柄可変表示体の重なり方向から見て、互いにずらして配置されていることを特徴とする絵柄可変表示冊子である。
【００１１】
また、上記の絵柄可変表示冊子において、前記カバーシートは、内面シートと外面シートとを積層して形成したシートであり、前記内面シートは、前記カバーシートを閉じた状態で前記窓付シート側に配置され、且つ前記窓付シートの前記相対変位方向に沿った方向に位置する端部に対し前記相対変位方向と交差する方向に延在する前記第１の折り曲げ部で折り曲げ可能な状態で連結しており、前記フィルム作動ガイド片は、前記外面シートに連結していることとしてもよい。
【００１２】
また、上記の絵柄可変表示冊子において、前記絵柄シートの裏面側に配置される裏面シートをさらに備え、前記フィルム作動ガイド片と、前記外面シートと、前記内面シートと、前記窓付シートと、前記裏面シート、前記絵柄シートとは、前記フィルム作動ガイド片、前記外面シート、前記内面シート、前記窓付シート、前記裏面シート、前記絵柄シートの順にそれぞれ折り曲げ線を介して一列に連結したブランクシートから形成されていることとしてもよい。
【００１３】
また、上記の絵柄可変表示冊子において、前記フィルムは、前記フィルムの一部に切り込みを入れて形成された、少なくとも一対の係止爪を備え、前記切り込みの形状は、前記透視部と前記隠蔽部との配列方向に垂直な方向に対向して突出した形状をしており、前記係止爪同士は、前記絵柄シートの前記相対変位方向に垂直な方向の長さに相当する間隔をおいて配置されており、前記絵柄シートは、前記係止爪で前記相対変位方向に変位可能に係止されていることとしてもよい。
【００１４】
本発明の別の態様は、上記の絵柄可変表示冊子を製造する方法において、前記絵柄可変表示体を、前記ブランクシートの一方の面を表面とし、他方の面を裏面とした場合に、前記絵柄を前記絵柄シートの表面に表示し、前記絵柄が表示された前記絵柄シートを、前記絵柄シートと前記裏面シートとの間に延在する折り曲げ線の位置で折り返して前記裏面シートの裏面上に配置し、前記フィルムを前記絵柄が表示された前記絵柄シート上に配置し、前記窓付シートを、前記窓付シートと前記裏面シートとの間に延在する折り曲げ線の位置で折り返して、前記フィルムを介して前記絵柄シート上に配置し、前記外面シートを、前記外面シートと前記内面シートとの間に延在する折り曲げ線の位置で折り返して前記内面シートと重ねて、前記外面シートと前記内面シートとで前記カバーシートを形成し、前記フィルム作動ガイド片を、前記フィルム作動ガイド片と前記外面シートとの間に延在する折り曲げ線の位置で折り返し前記窓付シートの裏面側に配置した後に、前記フィルム作動ガイド片の表面を前記フィルムに接合して組み立てることを特徴とする絵柄可変表示冊子の製造方法である。
【発明の効果】
【００１５】
本発明の一態様に係る絵柄可変表示冊子であれば、第１の折り曲げ部を軸にしてカバーシートを開閉操作することで、フィルム作動ガイド片を介してフィルムを絵柄シートに対し摺動させることができる。
このため、可変絵柄の表示時にはフィルムが摺動し、絵柄シートは固定されたままとなっている（つまり、可変絵柄の表示時に絵柄シートは摺動しない）。よって、可変絵柄を表示させる際に、可変絵柄と背景絵柄との間に生ずる絵柄のずれを防止することができる。したがって、可変絵柄と背景絵柄との意匠的一体感を高めることができる。
【００１６】
また、本発明の一態様に係る絵柄可変表示冊子は、窓付シートとカバーシートとが第１の折り曲げ部を介して連結しているため、窓付シートとカバーシートと間に隙間を有しない。
このため、本発明の一態様に係る絵柄可変表示冊子であれば、従来技術に係る絵柄可変表示冊子と比較して、窓付シートに描かれた背景絵柄とカバーシートに描かれた背景絵柄との意匠的一体感を高めることができる。
【図面の簡単な説明】
【００１７】
【図１】本発明の実施形態に係る絵柄可変表示冊子を閉じた状態を示す斜視図である。
【図２】本発明の実施形態に係る絵柄可変表示体を開いた状態における平面図及び底面図である。
【図３】本発明の実施形態に係る絵柄可変表示体を閉じた状態における平面図である。
【図４】本発明の実施形態に係る絵柄可変表示体を開いた状態及び閉じた状態における断面図である。
【図５】本発明の実施形態に係る裏面シート、絵柄シート及びフィルムの形状を示す平面図である。
【図６】本発明の実施形態に係る窓付シート、内面シート、外面シート及びフィルム作動ガイド片の形状を示す平面図である。
【図７】本発明の実施形態に係るブランクシートの形状を示す平面図及び底面図である。
【図８】本発明の実施形態に係る絵柄可変表示体の組み立て手順を説明する図である（その１）。
【図９】本発明の実施形態に係る絵柄可変表示体の組み立て手順を説明する図である（その２）。
【図１０】本発明の実施形態に係るブランクシートの形状を示す平面図である。
【図１１】本発明の実施形態に係る絵柄可変表示体同士が重なった状態を説明する斜視図である。
【図１２】従来技術に係る絵柄可変表示体の外観を示す斜視図である。
【図１３】従来技術に係る絵柄可変表示体の外観を示す斜視図である。
【発明を実施するための形態】
【００１８】
以下、本発明の実施形態に係る絵柄可変表示冊子１００の構造について説明する。図１は、絵柄可変表示冊子１００を閉じた状態を示す斜視図である。絵柄可変表示冊子１００は、図１に示すように、表紙１０１と、背表紙１０２と、裏表紙１０３と、絵柄可変表示体部１０４とを備えている。ここで、表紙１０１、背表紙１０２及び裏表紙１０３は、従来技術に係る冊子に備わる表紙、背表紙及び裏表紙と同様に、例えば厚手の紙、合成紙、プラスチックシート等で形成されたものである。よって、本実施形態では、表紙１０１、背表紙１０２及び裏表紙１０３の構造についての詳細な説明は省略し、絵柄可変表示体部１０４の構造についてのみ説明する。
【００１９】
絵柄可変表示体部１０４は、絵柄可変表示体１と絵柄可変表示体２が交互に複数重なって構成されたものである。ここで、絵柄可変表示体１と絵柄可変表示体２の構造を比較すると、両表示体の構造は略同じであるが、絵柄可変表示体１に備わる凸部６２ａは、隣り合う絵柄可変表示体２の凸部６２ｂとは、絵柄可変表示体１、２の重なり方向から見て、互いにずらして配置されている点で異なる。そこで、まず、絵柄可変表示体１の構造について図２〜６を参照しつつ説明する。
【００２０】
（絵柄可変表示体１の構造）
図２は、絵柄可変表示体１を見開いた状態における平面図（ａ）及び底面図（ｂ）である。また、図３は、絵柄可変表示体１を閉じた状態における平面図である。また、図４は、絵柄可変表示体１を見開いた状態（ａ）及び閉じた状態（ｂ）における断面図である。なお、図４（ａ）は、図２（ａ）のＡ−Ａ線における断面図であり、図４（ｂ）は、図３のＢ−Ｂ線における断面図である。
【００２１】
本実施形態に係る絵柄可変表示体１は、図２〜図４に示すように、カバーシート３と、台紙４と、可変絵柄表示部５とを備えている。ここで、カバーシート３は、内面シート５０と、外面シート６０とを備えたシートである。また、台紙４は、窓付シート４０と、裏面シート１０とを備えた台紙である。また、可変絵柄表示部５は、絵柄シート２０と、フィルム３０と、フィルム作動ガイド片７０とを備えた表示部である。
さらに、絵柄可変表示体１は、折り曲げ部（第１の折り曲げ部）６と、折り曲げ部（第２の折り曲げ部）８とを備えている。ここで、折り曲げ部６は、カバーシート３と台紙４とを折曲自在に連結する折り曲げ部である。また、折り曲げ部８は、フィルム作動ガイド片７０とカバーシート３とを折曲自在に連結する折り曲げ部である。
【００２２】
絵柄可変表示体１は、折り曲げ部６を軸にしてカバーシート３を開閉させることで、フィルム作動ガイド片７０及びフィルム３０を摺動させて絵柄を可変表示する表示体である。以下、この絵柄可変表示体１を構成する、裏面シート１０、絵柄シート２０、フィルム３０、窓付シート４０、内面シート５０、外面シート６０及びフィルム作動ガイド片７０の構造の詳細について、主に図５及び図６を参照しつつ説明する。
【００２３】
（裏面シート１０）
図５（ａ）は、本実施形態に係る裏面シート１０の形状を示した平面図である。図５（ａ）に示すように、裏面シート１０は、平面視で略四角形をした部品である。
裏面シート１０は、その中央部に一対の押圧部材１２を備えている。各押圧部材１２は、裏面シート１０の中央部に設けられた一対の折返し片１３を折り曲げ線１４の位置で折り曲げることで形成された部材であって、図面上下方向に延びた部材である。この押圧部材１２は、裏面シート１０の折り曲げによって生ずる弾性的な反発力を利用して、絵柄シート２０及びフィルム３０を窓付シート２０に向けて弾性的に押圧するものである。なお、各折返し片１３は、裏面シート１０の中央部に設けた折り曲げ線１４を底辺とする等脚台形を構成するように、裏面シート１０に切り込み１５を入れることで形成されたものである。また、図５（ａ）では、押圧部材１２は、紙面の手前側に向かって立ち上がった状態が示されている。
【００２４】
裏面シート１０は、その一部を矩形状に切り欠いた切り欠き部１６と、各切り欠き部１６の各端部から図面左右方向に延びる上下一対の切り込み１７とを図面右側の端部に備えている。この切り欠き部１６及び切り込み１７は、フィルム作動ガイド片７０がカバーシート３の開閉操作に連動して摺動する際にその動きを阻害しないために設けられたものである。
なお、裏面シート１０は、従来技術に係る同種の絵柄可変表示体の場合と同様に、例えばカード紙または板紙等の厚手の紙や、合成紙、プラスチックシート等で形成されたものである。
【００２５】
本実施形態では、裏面シート１０に押圧部材１２を２つ形成した場合について説明したが、これに限定されるものではない。例えば、押圧部材１２の数を１つとしてもよいし、３つ以上としてもよい。また、本実施形態では、各折返し片１３の形状を、折り曲げ線１４を底辺とする等脚台形とした場合について説明したが、これに限定されるものではない。例えば、折り曲げ線１４を底辺とする半円形としてもよい。また、本実施形態では、図面上下方向に延びた押圧部材１２について説明したが、これに限定されるものではない。例えば、押圧部材１２は図面左右方向に延びていてもよい。
【００２６】
（絵柄シート２０）
上述の裏面シート１０上には、絵柄シート２０が上述の押圧部材１２で支持された状態で固定されている。図５（ｂ）は、本実施形態に係る絵柄シート２０の形状を示した平面図である。図５（ｂ）に示すように、絵柄シート２０は、平面視で四角形をした部品である。絵柄シート２０の図面上下方向の長さは、裏面シート１０の図面上下方向の長さよりも短い。また、絵柄シート２０の図面左右方向の長さは、裏面シート１０の図面左右方向の長さよりも短い。
【００２７】
絵柄シート２０の面２０ａには、複合の細線で構成された絵柄（以下、「複合細線絵柄」ともいう。）２３が表示されている。この複合細線絵柄２３は、複数種類の原画のそれぞれに由来する細線絵柄を一定の順序で配列して構成したものである。以下、この複合細線絵柄２３の具体例として、図形「×」、図形「○」及び図形「□」をそれぞれ原画とした場合の複合細線絵柄について簡単に説明する。
【００２８】
原画「×」、「○」、「□」のそれぞれを所定の絵柄幅に分割したものを各原画の細線絵柄とし、原画「×」の細線絵柄２３ａについては、左端側から１番目、４番目、７番目、‥‥を選択する。また、原画「○」の細線絵柄２３ｂについては、左端側から２番目、５番目、８番目、‥‥を選択する。また、原画「□」の細線絵柄２３ｃについては、左端側から３番目、６番目、９番目、‥‥を選択する。そして、「×」の１番目、「○」の２番目、「□」の３番目、「○」の４番目、「×」の５番目、「□」の６番目、‥‥というように、３種類の原画「○」、「×」、「□」のそれぞれに由来する細線絵柄２３ａ〜２３ｃを一定の順序で配列することで複合細線絵柄２３が構成される。
【００２９】
このようにして構成された複合細線絵柄２３は、例えば通常の印刷法（具体的には、電子写真法やインクジェット法）を用いて絵柄シート２０上に印刷されている。
なお、絵柄シート２０は、裏面シート１０と同様の材質で形成されたものである。つまり、絵柄シート２０は、従来技術に係る同種の絵柄可変表示体の場合と同様に、例えばカード紙または板紙等の厚手の紙や、合成紙、プラスチックシート等で形成されたものである。
本実施形態では、３枚の原画を用いた場合について説明したが、これに限定されるものではない。２枚以上の原画を用いれば、可変絵柄を表示することができる。
【００３０】
（フィルム３０）
上述の絵柄シート２０の面２０ａ上には、フィルム３０が摺動可能に配置されている。より詳しくは、フィルム３０は、予め設定した相対変位方向にフィルム３０と絵柄シート２０とを相対的に変位可能に絵柄シート２０の面２０ａ上に配置されている。図５（ｃ）は、本実施形態に係るフィルム３０の形状を示した平面図である。図５（ｃ）に示すように、フィルム３０は、平面視で四角形をした部品である。フィルム３０の図面上下方向の長さは、裏面シート１０の図面上下方向の長さによりも短く、絵柄シート２０の図面上下方向の長さによりも長い。また、フィルム３０の図面左右方向の長さは、裏面シート１０の図面左右方向の長さによりも短く、絵柄シート２０に表示された複合細線絵柄２３の図面左右方向の長さにフィルム３０が摺動する距離を加えた長さよりも長い。ここで「フィルム３０が摺動する距離」とは、後述する「長さＬ１と長さＬ２との差の２倍の長さ」を意味する。
【００３１】
フィルム３０には、上述の細線絵柄２３ａ〜２３ｃを透視可能な透視部３２と、細線絵柄２３ａ〜２３ｃを隠蔽可能な隠蔽部３３とが、細線絵柄２３ａ〜２３ｃの配列方向と同一方向（つまり、図面左右方向）に交互に隣接して配列されている。ここで、透視部３２は、例えば平面視で矩形状、帯状、線状をしており、上述の細線絵柄２３ａ〜２３ｃの幅（図面左右方向における長さ）と等しい幅を有している。また、隠蔽部３３は、例えば平面視で矩形状、帯状、線状をしており、細線絵柄２３ａ〜２３ｃの幅を「原画数−１」倍した値と略等しい幅を有している。具体的には、本実施形態では、上述のように原画数を「３」としている。このため、隠蔽部３３は、細線絵柄２３ａ〜２３ｃの幅を２倍した値と略等しい幅を有している。
なお、フィルム３０は、従来技術に係る同種の絵柄可変表示体の場合と同様に、例えば透明なプラスチックフィルムの表面に不透明な印刷インキで隠蔽部３３を印刷して形成したものである。
【００３２】
また、フィルム３０は、図面左右両側に上下一対の係止爪３４をそれぞれ備えている。この係止爪３４は、フィルム３０の一部に切り込み３５を入れて形成されたものである。各係止爪３４を形成する切り込み３５の形状は、透視部３２と隠蔽部３３との配列方向に垂直な方向に対向して突出した形状をしており、例えば半円形状である。この係止爪３４は、絵柄シート２０を係止するための爪である。このため、対向する係止爪３４同士は、絵柄シート２０の図面上下方向の長さに相当する間隔をおいて配置されている。この係止爪３４を設けることで、フィルム３０を絵柄シート２０に対して図面左右方向に摺動させたときに、フィルム３０が絵柄シート２０に対して斜め方向に曲がることなく正確に図面左右方向に摺動する。これにより、常に鮮明な可変絵柄の表示が可能となる。
【００３３】
また、各係止爪３４を形成する切り込み３５の両端部には、フィルム３０の摺動方向（図面左右方向）に沿った直線状の切り込み３６が形成されている。この切り込み３６は、係止爪３４とフィルム３０本体とで絵柄シート２０を挟持する際に、その挟持性を高めるためのものである。
なお、図５（ｃ）には、４つの切り込み３５が例示されているが、各切り込み３５の形状は略同じである。また、同図には、８つの切り込み３６が例示されているが、各切り込み３６の形状は略同じである。このため、図面左上に示した切り込み３５（係止爪３４）及び切り込み３６についてのみ符号を付し、その他の切り込み３５（係止爪３４）及び切り込み３６については符号を省略している。また、フィルム３０の図面右側の端部には、フィルム作動ガイド片７０と接合する領域（接合領域）３７が破線で示されている。
【００３４】
本実施形態では、フィルム３０に係止爪３４を二対備えた場合について説明したが、これに限定されるものではない。例えば、上下一対からなる係止爪３４としてもよい。また、本実施形態では、係止爪３４の形状を半円形状とした場合について説明したが、これに限定されるものではない。例えば、係止爪３４の形状を三角形状としてもよい。
【００３５】
（窓付シート４０）
上述のフィルム３０上には窓付シート４０が配置されている。図６（ａ）は、本実施形態に係る窓付シート４０の形状を示した平面図である。窓付シート４０は、その中央部に可変絵柄を表示するための（可変絵柄を視認可能な）窓部４２を備えた部品であって、裏面シート１０と略同形同大の部品である。窓部４２の図面上下方向、図面左右方向の長さは、絵柄シート２０及びフィルム３０の図面上下方向、図面左右方向の長さよりもそれぞれ短い。
【００３６】
窓付シート４０の面４０ａには、例えば窓部４２内に表示される可変絵柄と関連した背景絵柄（図示せず）が表示されている。この背景絵柄は、例えば従来技術に係る印刷手法を用いて印刷されたものである。
なお、窓付シート４０は、裏面シート１０や絵柄シート２０と同様の材質で形成されたものである。つまり、この窓付シート４０は、従来技術に係る同種の絵柄可変表示体の場合と同様に、例えばカード紙または板紙等の厚手の紙や、合成紙、プラスチックシート等で形成されたものである。また、窓付シート４０と裏面シート１０とは、その向かい合う面の上下両側の端部で接合している。
【００３７】
（内面シート５０）
図２に示すように、上述の窓付シート４０の図面右側の端部に対し、フィルム３０の摺動方向と交差する方向(例えば直交する方向)に延在する折り曲げ部６で折り曲げ可能な状態で内面シート５０が連結されている。これにより、内面シート５０（カバーシート３）は、折り曲げ部６を軸として紙面の垂直方向に揺動可能となっている。
図６（ｂ）は、本実施形態に係る内面シート５０の形状を示した平面図である。内面シート５０は、図６（ｂ）に示すように平面視で四角形をした部品であって、裏面シート１０及び窓付シート４０と略同形同大である。なお、図６（ｂ）に示された「Ｌ２」は、内面シート５０の図面左右方向の長さを意味するものである。
【００３８】
内面シート５０の面５０ａには、例えば窓部４２内に表示された可変絵柄や窓付シート４０の面４０ａに描かれた背景絵柄と関連した背景絵柄（図示せず）が描かれている。この背景絵柄は、例えば従来技術に係る印刷手法を用いて印刷されたものである。
なお、内面シート５０は、上述の裏面シート１０や絵柄シート２０と同様の材質で形成されたものである。つまり、この内面シート５０は、従来技術に係る同種の絵柄可変表示体の場合と同様に、例えばカード紙または板紙等の厚手の紙や、合成紙、プラスチックシート等で形成されたものである。
【００３９】
（外面シート６０及びフィルム作動ガイド片７０）
上述の内面シート５０の裏面（面５０ａの反対側の面）には、外面シート６０が配置されており、この外面シート６０と内面シート５０とでカバーシート３が形成されている。
図６（ｃ）は、本実施形態に係る外面シート６０及びフィルム作動ガイド片７０の形状を示した平面図である。外面シート６０は、図６（ｃ）に示すように平面視で略四角形をした部品である。外面シート６０の図面左右方向の長さＬ１は、内面シート５０の図面左右方向の長さＬ２よりも長い。ここで、長さＬ１と長さＬ２との差（Ｌ１−Ｌ２）の２倍の長さが、フィルム作動ガイド片７０（またはフィルム３０）の摺動距離となる。
【００４０】
外面シート６０は、図面左側の端部に３つの凸部６２ａを備えている。より詳しくは、外面シート６０の図面上下方向の中心を通る仮想直線Ｃの上側領域に２つの凸部６２ａが配置されており、仮想直線Ｃの下側領域に１つの凸部６２ａが配置されている。各凸部６２ａは、略同形同大であり、図面上下方向に等間隔で配置されている。そして、凸部６２ａ同士の間隔は、各凸部６２ａの図面上下方向の長さよりも長い。この凸部６２ａは、カバーシート３を開いた状態では窓付シート４０とフィルム３０との間をフィルム３０に向けて延在している(図２参照)。また、この凸部６２ａは、カバーシート３を閉じた状態では窓付シート４０から離れる方向に（図３では図面右側に向かって）折り曲げ部６から突出している。
【００４１】
図６（ｃ）に示すように、外面シート６０の図面左端には、フィルム作動ガイド片７０が配置されている。このフィルム作動ガイド片７０は、折り曲げ部８を軸として紙面の垂直方向に揺動可能に形成されている。換言すると、フィルム作動ガイド片７０は、各凸部６２ａに対しフィルム３０の摺動方向と交差する方向に延在する折り曲げ部８で折り曲げ可能な状態で連結している。また、フィルム作動ガイド片７０は、窓付シート４０と絵柄シート２０との間をフィルム３０に向けて延在しており、その延在方向に位置する端部はフィルム３０に固定されている（図１、２参照）。
【００４２】
フィルム作動ガイド片７０は、図６（ｃ）に示すように平面視で略四角形をした部品である。フィルム作動ガイド片７０の図面上下方向の長さは、裏面シート１０の切り欠き部１６の図面上下方向の長さよりも短い。フィルム作動ガイド片７０は、図面右側の端部に３つの凸部７１ａを備えており、図面左側の端部に１つの切り欠き部７２を備えている。各凸部７１ａは、略同形同大であり、図面右方向に向かって突出している。また、各凸部７１ａは図面上下方向に等間隔で配置されており、凸部７１ａ同士の間隔は、各凸部７１ａの図面上下方向の長さと略同じである。この凸部７１ａと上述の凸部６２ａとによって、外面シート６０とフィルム作動ガイド片７０との間には矩形状をした２つの開口部７３ａが形成されている。
【００４３】
このフィルム作動ガイド片７０は、フィルム３０の接合領域３７と接合している。このため、フィルム作動ガイド片７０が摺動すると、それに連動してフィルム３０も摺動する。なお、この外面シート６０及びフィルム作動ガイド片７０は、上述の裏面シート１０や絵柄シート２０と同様の材質で形成されたものである。つまり、外面シート６０及びフィルム作動ガイド片７０は、従来技術に係る同種の絵柄可変表示体の場合と同様に、例えばカード紙または板紙等の厚手の紙や、合成紙、プラスチックシート等で形成されたものである。
【００４４】
本実施形態では、凸部６２ａ及び凸部７１ａが図面上側の領域に偏って配置されている場合について説明したが、これに限定されるものではない。例えば、凸部６２ａ及び凸部７１ａを図面下側の領域に偏らせて配置してもよい。また、本実施形態では、凸部６２ａ及び凸部７１ａを３つ備えた場合について説明したが、これに限定されるものではない。例えば、凸部６２ａ及び凸部７１ａの数を１または２としてもよいし、４以上としてもよい。
【００４５】
（絵柄可変表示体１の動作）
以下のようにして構成されている絵柄可変表示体１の動作について、図２〜図４を参照しつつ説明する。
上述のように、外面シート６０の長さＬ１は、内面シート５０の長さＬ２よりも長くなっている。このため、図２〜４に示すように、折り曲げ部８は、カバーシート３が開いた状態では折り曲げ部６よりも図面左側（つまり、フィルム３０側）に位置し、カバーシート３が閉じた状態では折り曲げ部６よりも図面右側（つまり、折り曲げ部６に対してフィルム３０とは反対側）に位置している。このように、折り曲げ部６を軸としてカバーシート３を開閉させると、折り曲げ部８は図面左右方向に移動する。その結果、折り曲げ部８を軸としてフィルム作動ガイド片７０は図面左右方向に摺動し、それに連動するフィルム３０も摺動する。より詳しくは、カバーシート３を開くと、折り曲げ部８は図面右側から図面左側に向かって移動するので、フィルム作動ガイド片７０は図面左方向に摺動する。これに連動して絵柄シート２０上のフィルム３０も図面左方向に摺動する。
【００４６】
フィルム３０の摺動距離が、複合細線絵柄２３を構成する個々の細線絵柄の幅（細線絵柄幅）に等しくなると、フィルム３０の透視部３２に表示されていた文字「×」の絵柄に代わって、文字「×」の絵柄を構成する細線絵柄２３ａの左側に隣接する細線絵柄２３ｃによって構成される文字「□」の絵柄が表示されるようになる。更に細線絵柄幅に相当する距離だけ摺動させると、文字「□」の絵柄に変わって文字「○」の絵柄が表示され、更に細線絵柄幅に相当する距離だけ摺動させると、再び文字「×」の絵柄が表示され、以後この繰り返しとなる。
【００４７】
一方、カバーシート３を閉じると、折り曲げ部８は図面左側から図面右側に向かって移動するので、フィルム作動ガイド片７０は図面右方向に摺動する。これに連動して絵柄シート２０上のフィルム３０も図面右方向に摺動する。このため、カバーシート３を閉じる場合にはカバーシート３を開く場合とは逆に、文字「×」の絵柄から文字「○」の絵柄へ、文字「○」の絵柄から文字「□」の絵柄へ、文字「□」の絵柄から文字「×」の絵柄へ、という順で表示される絵柄が順次切り替わる。
【００４８】
（ブランクシート）
上述の絵柄可変表示体１では、裏面シート１０、絵柄シート２０、窓付シート４０、内面シート５０及びフィルム作動ガイド片７０を備えた外面シート６０は、それぞれ別体のシートによって構成されていたが、本発明はこれに限定されるものではない。例えば、これらのシートの中から選ばれる任意のシートが互いに連続した１枚のブランクシートから構成されていてもよい。
【００４９】
絵柄可変表示体１は、上述の構成部品が互いに連続して構成された１枚のブランクシート８０と、フィルム３０とで構成されたものであってもよい。以下、この１枚のブランクシート８０と、フィルム３０とを用いた絵柄可変表示体１の組み立て手順について説明する。なお、図７〜図９において、上述した構成部品と同じ構成部品には、同一の番号を付している。
【００５０】
図７は、フィルム作動ガイド片７０、外面シート６０、内面シート５０、窓付シート４０、裏面シート１０及び絵柄シート２０が互いに連続して配置されたブランクシート８０の一例を示す展開図であって、（ａ）は平面図を示し、（ｂ）は底面図を示している。なお、図７（ａ）、（ｂ）において、「破線」は「谷折り」を意味するものであり、「一点鎖線」は「山折り」を意味するものである。
【００５１】
図７（ａ）、（ｂ）に示すように、このブランクシート８０は、フィルム作動ガイド片７０、外面シート６０、内面シート５０、窓付シート４０、裏面シート１０及び絵柄シート２０をこの順に、それぞれの間に折り曲げ線６１、５１、４１、１１、２１を介して一列に連結して構成されたシートである。そして、内面シート５０の面５０ａ及び窓付シート４０の面４０ａには背景絵柄(図示せず)が表示されており、絵柄シート２０の面２０ａには複合細線絵柄２３が表示されている。
【００５２】
（組立手順）
以下、このブランクシート８０とフィルム３０とを用いた絵柄可変表示体１の組み立て手順について、図８及び図９を参照しつつ説明する。図８及び図９は、本実施形態に係る絵柄可変表示体１の組み立て手順を説明する図である。
まず、図８（ａ）に示すように、ブランクシート８０を、折り曲げ線６１、５１、４１、１１、２１の各位置で山折りまたは谷折りする。
次に、ブランクシート８０の裏面シート１０に形成された折返し片１３を折り曲げ線１４の位置で折り曲げて、図８（ａ）に示すように、押圧部材１２を形成する。
次に、図８（ａ）に示すように、絵柄シート２０の複合細線絵柄２３が表示された面２０ａ上にフィルム３０を載置する。
【００５３】
次に、図８（ｂ）に示すように、フィルム３０を載置した絵柄シート２０を、絵柄シート２０と裏面シート１０との間にある折り曲げ線２１の位置で折り返して、その絵柄シート２０を裏面シート１０の面１０ｂ上に重ねる。この際、絵柄シート２０は、押圧部材１２によって支持される。
次に、図８（ｂ）に示すように、外面シート６０を、外面シート６０と内面シート５０との間にある折り曲げ線５１の位置で折り返して、外面シート６０の面６０ｂと内面シート５０の面５０ｂとを接合する。これによって、図９（ａ）に示すように、外面シート６０と内面シート５０とが一体化して、カバーシート３が形成される。
【００５４】
次に、図９（ｂ）に示すように、窓付シート４０を、窓付シート４０と裏面シート１０との間にある折り曲げ線１１の位置で折り返して、窓付シート４０をフィルム３０上に重ねる。この際、フィルム作動ガイド片７０を、フィルム作動ガイド片７０と外面シート６０との間にある折り曲げ線６１（折り曲げ部８）の位置で折り返して、窓付シート４０とフィルム３０とで挟むように配置する。そして、フィルム作動ガイド片７０の面７０ａとフィルム３０の面３０ａとを接合領域３７で接合する。また、窓付シート４０の面４０ｂと裏面シート１０の面１０ｂとを上下両側の端部において接合する。
最後に、カバーシート３を、内面シート５０と窓付シート４０との間にある折り曲げ線４１の位置で折り返して、内面シート５０の面５０ａを窓付シート４０の面４０ａ上に重ねる。
【００５５】
このようにして、一枚のブランクシート８０とフィルム３０とから絵柄可変表示体１を組み立てる。なお、図９（ｃ）は、上記手順を経て組み立てられた絵柄可変表示体１のカバーシート３を開いた状態を示すものである。
本実施形態では、各構成部品を折り曲げる順序について説明したが、これに限定されるものではない。例えば、内面シート５０と外面シート６０とでカバーシート３を形成し、絵柄可変表示体１の組み立ての最後にフィルム３０を絵柄シート２０の面２０ａ上に載置してもよい。
【００５６】
（絵柄可変表示体２の構造）
次に、本実施形態に係る絵柄可変表示冊子１００を構成する絵柄可変表示体２の構造について、図１０を参照しつつ簡単に説明する。
【００５７】
図１０は、絵柄可変表示体２を構成するブランクシート８１の展開図である。このブランクシート８１は、絵柄可変表示体１を構成するブランクシート８０と比較して、凸部６２ｂ及び凸部７１ｂの相対的な位置のみが異なっており、それ以外は同じ構造をしている。より詳しくは、ブランクシート８１は、各シートの連結方向（つまり、図面左右方向）に延びる仮想直線（図示せず）を軸にしてブランクシート８０を反転させた構造（つまり、線対称をした構造）をしている。このため、ブランクシート８１とブランクシート８０とを重ねた場合、ブランクシート８１に備わる凸部６２ｂはブランクシート８０に備わる開口部７３ａの上に配置される。つまり、ブランクシート８１に備わる凸部６２ｂと、ブランクシート８０に備わる凸部６２ａとは平面視で重ならない位置関係にある。
【００５８】
ブランクシート８１の組み立て手順は、ブランクシート８０の組み立て手順と同じである。よって、ここではその説明を省略する。なお、ブランクシート８１から組み立てられた絵柄可変表示体２は図１１に示されている。
【００５９】
（絵柄可変表示体部１０４の構造）
図１１は、絵柄可変表示体１と絵柄可変表示体２の外観を示す斜視図であって、絵柄可変表示体２と絵柄可変表示体１とを交互に重ねた状態を示す斜視図である。図１１に示すように、絵柄可変表示体１と絵柄可変表示体２とを、それぞれ折り曲げ部６を同じ方向に向けて揃えて重ねても、絵柄可変表示体１の凸部６２ａと絵柄可変表示体２の凸部６２ｂとは平面視で重ならない。より詳しくは、絵柄可変表示体１と絵柄可変表示体２とを重ねた場合、絵柄可変表示体の重なり方向から見て、凸部６２ａと凸部６２ｂとは互いにずらして配置されている。
【００６０】
以上のようにして、絵柄可変表示体１と絵柄可変表示体２とが交互に重なって絵柄可変表示体部１０４が形成されている。この絵柄可変表示体部１０４に、表紙１０１、背表紙１０２及び裏表紙１０３を取り付けることで、絵柄可変表示冊子１００が形成されている。
なお、本実施形態では、ブランクシート８０とブランクシート８１との形状を線対称とした場合について説明したが、ブランクシート８０とブランクシート８１との形状はこれに限定されるものではない。ブランクシート８０とブランクシート８１との形状は、凸部６２ａと凸部６２ｂが互いに重なり合わない形状であればよく、必ずしも線対称である必要はない。
【００６１】
（効果）
（１）本実施形態に係る絵柄可変表示冊子１００は、絵柄可変表示体１と絵柄可変表示体２とを備えており、絵柄可変表示体１と絵柄可変表示体２のそれぞれは、細線絵柄２３ａ〜２３ｃの配列方向に沿った方向に位置する窓付シート４０の端部に対し、折り曲げ部６で折り曲げ可能な状態で連結したカバーシート３を備えている。また、絵柄可変表示冊子１００は、このカバーシート３に対し、折り曲げ部６で折り曲げ可能な状態で連結し、窓付シート４０と絵柄シート２０との間をフィルム３０に向けて延在し、その延在方向に位置する端部をフィルム３０に固定したフィルム作動ガイド片７０を備えている。そして、この折り曲げ部８は、カバーシート３を開いた状態で折り曲げ部６に対しカバーシート３側にずらして配置されている。
【００６２】
このため、折り曲げ部６を軸としてカバーシート３を開閉させると、折り曲げ部８を軸としてフィルム作動ガイド片７０は、細線絵柄２３ａ〜２３ｃの配列方向に沿った方向に摺動する。フィルム作動ガイド片７０はフィルム３０に固定されているため、フィルム作動ガイド片７０の摺動に連動してフィルム３０も摺動する。
このように、本実施形態に係る絵柄可変表示冊子１００であれば、可変絵柄の表示時にはフィルム３０が摺動し、絵柄シート２０は固定されたままとなっている（つまり、絵柄の可変表示時に絵柄シート２０は摺動しない）。よって、可変絵柄の表示時における可変絵柄と背景絵柄との間に生ずる絵柄のずれを防止することができる。ゆえに、可変絵柄と背景絵柄との意匠的一体感を高めることができる。
【００６３】
また、本実施形態に係る絵柄可変表示冊子１００を構成する絵柄可変表示体１と絵柄可変表示体２のぞれぞれは、窓付シート４０と内面シート５０とが折り曲げ部６を介して連結しているため、窓付シート４０と内面シート５０と間に隙間を有しない。
このため、本実施形態に係る絵柄可変表示冊子１００であれば、従来技術に係る絵柄可変表示体と比較して、窓付シート４０に描かれた背景絵柄と内面シート５０に描かれた背景絵柄との意匠的一体感を高めることができる。
【００６４】
さらに、本実施形態に係る絵柄可変表示冊子１００を構成する絵柄可変表示体１の凸部６２ａは、絵柄可変表示体２の凸部６２ｂとは、絵柄可変表示体１、２の重なり方向から見て、互いにずらして配置されている。
このため、本実施形態に係る絵柄可変表示冊子１００であれば、凸部６２同士（凸部６２ａと凸部６２ｂ）を互いにずらして配置しなかった場合と比較して、絵柄可変表示冊子１００を開いた場合に隣り合う絵柄可変表示体の凸部６２同士が干渉する程度を低減することができる。よって、凸部６２同士が干渉することで生ずる凸部６２の破損を低減することができ、絵柄可変表示冊子１００の耐久性を高めることができる。
【００６５】
（２）本実施形態に係る絵柄可変表示冊子１００に備わるカバーシート３は、内面シート５０と外面シート６０とで構成している。そして、フィルム作動ガイド片７０は、折り曲げ部８を介して外面シート６０に連結されている。
このため、折り曲げ部８とフィルム作動ガイド片７０とを備えた摺動機構の組み立てが容易となる。よって、絵柄可変表示体１及び絵柄可変表示体２の組み立ても容易となり、組み立て作業の効率を高めることができる。
【００６６】
（３）本実施形態に係る絵柄可変表示冊子１００に備わるフィルム３０は、絵柄シート２０を挟持するための係止爪３４を備えている。
このため、フィルム３０を摺動させたときに、フィルム３０が絵柄シート２０に対して斜め方向に曲がることなく、正確に細線絵柄２３の配列方向に沿った方向に摺動させることができる。これにより、常に鮮明な可変絵柄の表示が可能となる。
【００６７】
（４）本実施形態に係る絵柄可変表示冊子１００を構成する絵柄可変表示体１と絵柄可変表示体２のぞれぞれは、一枚のブランクシート８０、８１とフィルム３０とから形成されている。
このため、フィルム３０を除き、全ての構成部品が単一の材料を用いた単一の印刷・打抜工程により製造できる。また、それらが一方向に連続した帯状体をなしているので、製造効率や材料の利用効率を高くすることができる。さらに、各構成部品の外形やそれらの間の折り曲げ線１１、２１、４１、５１、６１の位置、形状が単一の打ち抜き工程（筋押し工程を含む）で形成できる。
【００６８】
したがって、本実施形態に係る絵柄可変表示冊子１００であれば、組立時に各構成部品の位置合わせに特別な工夫を要さずとも各構成部品の組立精度が高く、安定して高精度で動作する絵柄可変表示体１と絵柄可変表示体２とを容易に得ることができる。
また、窓付シート４０の面４０ａ及び内面シート５０の面５０ａに可変絵柄と関連した背景絵柄を印刷する場合には、その絵柄の印刷と複合細線絵柄２３の印刷とを同一工程で行うことができる。このため、位置合わせ精度が高く、特に、窓付シート４０の面４０ａに印刷された背景絵柄と、複合細線絵柄２３とが互いに関連する場合には、位置ずれによる違和感のない意匠性に優れた製品を容易に得ることができる。
【符号の説明】
【００６９】
１  絵柄可変表示体、２  絵柄可変表示体、３  カバーシート、４  台紙、５  絵柄可変表示部、６  折り曲げ部、８  折り曲げ部、１０  裏面シート、１０ａ  面、１０ｂ  面、１１  折り曲げ線、１２  押圧部材、１３  折返し片、１４  折り曲げ線、１５  切り込み、１６  切り欠き部、１７  切り込み、２０  絵柄シート、２０ａ  面、２０ｂ  面、２１  折り曲げ線、２３  複合細線絵柄、２３ａ  原画「×」の細線絵柄、２３ｂ  原画「○」の細線絵柄、２３ｃ  原画「□」の細線絵柄、３０  フィルム、３０ａ  面、３０ｂ  面、３２  透視部、３３  隠蔽部、３４  係止爪、３５  切り込み、３６  切り込み、３７  接合領域、４０  窓付シート、４０ａ  面、４０ｂ  面、４１  折り曲げ線、４２  窓部、５０  内面シート、５０ａ  面、５０ｂ  面、５１  折り曲げ線、６０  外面シート、６０ａ  面、６０ｂ  面、６１  折り曲げ線、６２ａ  凸部、６２ｂ  凸部、７０  フィルム作動ガイド片、７０ａ  面、７０ｂ  面、７１  凸部、７２  切り欠き部、７３ａ  開口部、７３ｂ  開口部、８０  ブランクシート、８１  ブランクシート、９０  シート、９１  絵シート、９２  フィルム、９２ａ  透明スリット、９２ｂ  不透明部、９３  シート、９３ａ  表示窓、９４  操作部、９５  表紙（カバーシート）、９６  隙間、１００  絵柄可変表示冊子、１０１  表紙、１０２  背表紙、１０３  裏表紙、１０４  絵柄可変表示体部
【図１】
2014226907.tif 000003
【図２】
2014226907.tif 000004
【図３】
2014226907.tif 000005
【図４】
2014226907.tif 000006
【図５】
2014226907.tif 000007
【図６】
2014226907.tif 000008
【図７】
2014226907.tif 000009
【図８】
2014226907.tif 000010
【図９】
2014226907.tif 000011
【図１０】
2014226907.tif 000012
【図１１】
2014226907.tif 000013
【図１２】
2014226907.tif 000014
【図１３】
2014226907.tif 000015